(57)【要約】【課題】従来の法面緑化工法をさらに改良し、材料点数および施工工数を少なくすることが可能な法面緑化用支持部材および法面緑化工法の提供。【解決手段】連続気泡を有する発泡ガラスの塊状体１１と、この発泡ガラスの塊状体１１が充填される円筒状籠１０とから構成される法面緑化用支持部材１を、地盤２上に棚状または千鳥状に配置し、地盤２および法面緑化用支持部材１を覆う状態にラス金網４を張設し、さらに、法面緑化用支持部材１を覆うように客土層７を形成する。【選択図】図１
2009221722.tif 000002
【特許請求の範囲】
【請求項１】
地盤上に棚状または千鳥状に配置される法面緑化用支持部材であって、連続気泡を有する発泡ガラスと、この発泡ガラスが充填される筒状籠とから構成される法面緑化用支持部材。
【請求項２】
前記筒状籠は、合成樹脂製または金属製の網により形成されたものである請求項１記載の法面緑化用支持部材。
【請求項３】
前記発泡ガラスは、直径１０〜５０ｍｍである請求項１または２に記載の法面緑化用支持部材。
【請求項４】
前記筒状籠は、直径５０〜２００ｍｍである請求項１から３のいずれかに記載の法面緑化用支持部材。
【請求項５】
連続気泡を有する発泡ガラスと、この発泡ガラスが充填される筒状籠とから構成される法面緑化用支持部材を、地盤上に棚状または千鳥状に配置し、
前記法面緑化用支持部材を覆うように客土層を形成する
ことを特徴とする法面緑化工法。
【請求項６】
連続気泡を有する発泡ガラスと、この発泡ガラスが充填される筒状籠とから構成される法面緑化用支持部材を、地盤上に棚状または千鳥状に配置し、
前記地盤および法面緑化用支持部材を覆う状態に網状体を張設し、
さらに、前記法面緑化用支持部材を覆うように客土層を形成する
ことを特徴とする法面緑化工法。
【請求項７】
前記客土層を、連続気泡を有する発泡ガラスで形成された粒状体と堆肥と植物種子と粘着材とを含有する基盤材を前記地盤上に吹き付けて硬化させることにより形成することを特徴とする請求項５または６に記載の法面緑化工法。
【請求項８】
前記粒状体は、直径２０ｍｍ以下である請求項７記載の法面緑化工法。
【請求項９】
前記法面緑化用支持部材は、外径が円筒状籠の編み目の内径よりも大きな頭部を有するアンカーにより固定することを特徴とする請求項５から８のいずれかに記載の法面緑化工法。
【請求項１０】
前記法面緑化用支持部材は、この法面緑化用支持部材の外周に掛かる略Ｕ字状または略Ｊ字状のフック部を有するアンカーにより固定することを特徴とする請求項５から８のいずれかに記載の法面緑化工法。
【発明の詳細な説明】
【技術分野】
【０００１】
本発明は、山間地等の傾斜面や新規造成地の傾斜面などに植物が生育可能な法面を構築するための法面緑化用支持部材および法面緑化工法に関する。
【背景技術】
【０００２】
山間地あるいは新規造成地などの傾斜地盤においては、景観の向上などを目的として、法面の緑化工事が施工されている。このような法面緑化工事では、従来、地盤面に土砂崩壊防止用の補助部材やネットなどを固定して、これらの上に客土層を形成する工法が採用されている。また、このような法面緑化工事で使用する補助部材やネットなどについても様々なものが開発されている。
【０００３】
従来の法面緑化技術としては、例えば特許文献１，２などで開示されているものがある。特許文献１に開示されている法面緑化工法においては、施工面に固定した土留め用ストッパ上に、苗木根が貫通可能な植生袋に混合土壌を充填したものを設置、固定し、この植生袋に苗木を植えることによって緑化法面を構築する。また、特許文献２に開示されている法面緑化工法においては、法面上に多数の柵状体を連結固定して複数の堰を形成し、これらの堰の上方を網状体で覆い、さらに、その上に肥料や植物種子などを含む客土などを施して着根層を形成することによって緑化法面を構築する。
【０００４】
また、その他の法面緑化工法として、本発明者が提案した特許文献３に開示の法面緑化工法がある。この法面緑化工法では、木材を素材とする支持部材を地盤上に棚状または千鳥状に配置し、地盤と支持部材との間に、連続気泡を有する発泡ガラスの塊状体を布設し、支持部材および塊状体を覆う客土層を形成する。この法面緑化工法によれば、木材を素材とする支持部材が適度の吸水性および保水性を備えており、発泡ガラスの塊状体が多数の連続気泡を有していることで、地下水や雨水などを適度に吸収し、過剰な水分を透過する機能を備えているため、支持部材を地盤上に棚状または千鳥状に配置し、地盤と支持部材との間に塊状体を布設し、これらを覆う客土層を形成すれば、客土層の流出や崩落が防止されるとともに優れた保水性を発揮し、植物の成長に必要な水分や水分中に含まれる養分などを長期間保持することができ、植物の生育が良好な緑化法面を構築することができる。
【０００５】
【特許文献１】特開平６−２５７１５７号公報
【特許文献２】特開平９−１１９１３６号公報
【特許文献３】特開２００３−７４０６２号公報
【発明の開示】
【発明が解決しようとする課題】
【０００６】
特許文献１に開示されている法面緑化工法の場合、施工面に固定した土留め用ストッパ上に、混合土壌を充填した植生袋をそれぞれ設置、固定しなければならないので、混合土壌の充填作業、混合土壌が充填された植生袋の運搬作業および設置作業などに多大な労力と時間とを要し、工期が長期化する。
【０００７】
また、特許文献２に開示された法面緑化工法は、多数の柵状体を連結固定して堰を形成するものであるため、各々の柵状体にはそれぞれ連結機構を設ける必要があり、その構造が複雑で製作に多くの手間を要している。また、柵状体を横方向に連結固定して連続した堰を形成する必要があるので、凹凸や起伏の多い法面においては採用が困難である。
【０００８】
特許文献３に開示された法面緑化工法は、これらの法面緑化工法の問題点を解決するものであるが、この工法では、木材を素材とする支持部材を地盤上に配置した後に、地盤と支持部材との間に連続気泡を有する発泡ガラスの塊状体を布設する必要がある。
【０００９】
そこで、本発明においては、特許文献３に開示された従来の法面緑化工法をさらに改良し、材料点数および施工工数を少なくすることが可能な法面緑化用支持部材および法面緑化工法を提供することを目的とする。
【課題を解決するための手段】
【００１０】
本発明の法面緑化用支持部材は、地盤上に棚状または千鳥状に配置される法面緑化用支持部材であって、連続気泡を有する発泡ガラスと、この発泡ガラスが充填される筒状籠とから構成されるものである。そして、本発明の法面緑化工法は、この法面緑化用支持部材を地盤上に棚状または千鳥状に配置し、法面緑化用支持部材を覆うように客土層を形成することを特徴とする。
【００１１】
本発明の法面緑化用支持部材では、筒状籠内に充填された連続気泡を有する発泡ガラスが、地下水や雨水などを適度に吸収し、過剰な水分を透過する機能を備えるとともに、この発泡ガラスが充填された筒状籠が、従来の木材を素材とする支持部材と同等の客土層の支持機能を発揮する。そのため、この法面緑化用支持部材を地盤上に棚状または千鳥状に配置し、この法面緑化用支持部材を覆うように客土層を形成すれば、客土層の流出や崩落が防止される。また、この客土層は優れた保水性と保肥機能を発揮し、植物の生長に必要な水分や水分中に含まれる養分などを長期間保持することができ、植物の生育が良好な緑化法面を構築することができる。
【００１２】
また、ここで生育する植物の根は筒状籠に絡むように伸長するので、客土層の流出、崩落や植物の脱落などが防止される。また、本発明の法面緑化用支持部材は筒状籠内に連続気泡を有する発泡ガラスが充填されたものであるため適度な隙間を有しており、客土層に浸透した雨水などがこの隙間を通して下方へ流出するとともに、客土層中の通気性も確保されるので、客土層の過剰水分を効率良く排出し、植物生育に適した水分量および通気性を維持できるほか、雨天などによる客土層の流出を防ぐことができる。
【００１３】
また、筒状籠内の発泡ガラスは、その外周から内部に連続した気泡を有しているため、客土層中において有益な土壌微生物などの住処となり、これらの働きによっても植物の生育が活性化される。さらに、筒状籠内の発泡ガラスはガラス質であるため化学的に安定であり、有害物質の溶出や腐食なども生じないため、環境汚染の恐れがなく、耐久性にも優れている。
【００１４】
ここで、筒状籠は、木や竹などにより形成された網を利用して製作することが可能であるが、合成樹脂製や金属製の網を利用して製作したものであることが望ましい。木や竹の場合には長期間経過すると腐食してしまう可能性があるが、合成樹脂の場合には腐食することがない。また、金属製の網の場合には合成樹脂よりも強度的に優れており、客土層および構築された緑化法面の重量物を支持するのに適している。特に、金属製の網では亜鉛めっきされた針金を用いるよりも、例えば銅をアルミニウム被覆した素線や亜鉛アルミニウム合金めっき鉄線を用いることが望ましい。銅をアルミニウム被覆した素線、亜鉛アルミニウム合金めっき鉄線や合成樹脂は耐腐食性に優れており、長期間に渡り、客土層および構築された緑化法面を支持することができる。また、筒状籠は、円筒状、三角筒状や四角筒状など様々な断面形状のものを用いることが可能である。
【００１５】
また、本発明の法面緑化工法は、連続気泡を有する発泡ガラスと、この発泡ガラスが充填される筒状籠とから構成される法面緑化用支持部材を、地盤上に棚状または千鳥状に配置し、地盤および法面緑化用支持部材を覆う状態に網状体を張設し、さらに、法面緑化用支持部材を覆うように客土層を形成することを特徴とする。
【００１６】
地盤上に配置された法面緑化用支持部材を覆うように網状体を張設し、この上に客土層を形成するので、客土層はより強固に固定され、ここで生育する植物の根は網状体に絡むように伸長するので、客土層の流出、崩落や植物の脱落などを防止する機能がさらに向上する。
【００１７】
ここで、客土層を、連続気泡を有する発泡ガラスで形成された粒状体と堆肥と植物種子と粘着材とを含有する基盤材を地盤上に吹き付けて硬化させることにより形成することができる。このような基盤材を吹き付けて硬化させることにより、客土層の表面は植物が生長可能な適度の硬さとなり、工事完了後も長期間に渡りその硬さが保たれるだけでなく、客土層内においては、基盤材に含有される粘着材の作用により、発泡ガラスの粒状体、堆肥、植物種子などが互いに固結して団粒化構造が形成されるため、降雨などによる客土層の浸食、風による基盤材の飛散などが発生せず、耐久性に優れた緑化法面を構築することができる。また、この客土層は乾燥時期においても適度の保水性を維持することができるため、植物が枯死するようなことがなく、安定した生育状態を確保することができる。
【００１８】
また、客土層を構成する基盤材が発泡ガラスの粒状体を含有していることにより、客土層の内部に、植物の根や芽などの生育に必要とされる隙間を確保することができるので、工事完了後、発芽した植物種子は堆肥などに含まれる養分を吸収しながら客土層の表面から外部へ成長していき、緑豊かな緑化法面を構築することができる。この粒状体は、多数の微小連続気泡を有する発泡ガラスで形成され、比較的軽量で、地下水や雨水などを適度に吸収し、余分な水分は透過する機能を備えているため、工事完了後、長期間経過しても、初期の軽量性が失われることがなく、客土層の流出や崩落などを防止することができる。
【００１９】
さらに、この客土層に含まれる発泡ガラスについても、前述のように、その外周から内部へ連続した気泡を有するため、客土層中において有益な土壌微生物などの住処となり、これらの働きによっても植物の生育状態が活性化される。これらの粒状体はガラス質であるため化学的に安定であり、有害物質の溶出や腐食なども生じないため、環境汚染のおそれがなく、耐久性にも優れている。なお、発泡ガラスの粒状体は、新たなガラス材はもちろん、廃棄された空瓶やガラス廃材などを原料として製造することもできるため、資源の有効活用を図り、資源環境の保護に寄与することができる。
【００２０】
なお、堆肥としては、落ち葉、藁、塵芥、野草などを積み重ね、腐敗させて作った有機物質の混合物が好適であり、客土層に含有される植物種子が成長する際の養分供給源となるほか、保肥力の増強、保水性や通気性の改善、土壌微生物の活動促進などの作用があるため、良好な植物生育基盤を形成することができる。この場合、基盤材に各種化学肥料を添加しておけば、植物の成長をさらに促進することができる。
【００２１】
また、法面緑化用支持部材は、外径が円筒状籠の編み目の内径よりも大きな頭部を有するアンカーにより固定することが望ましい。これにより、このアンカーを打ち込むと、その頭部が円筒状籠の編み目に掛かるようになり、アンカーを打ち込むだけで簡単に法面緑化用支持部材を地盤の表面に固定することが可能となる。
【００２２】
あるいは、法面緑化用支持部材は、この法面緑化用支持部材の外周に掛かる略Ｕ字状または略Ｊ字状のフック部を有するアンカーにより固定することが望ましい。これにより、これらのアンカーを打ち込むと、法面緑化用支持部材の外周が略Ｕ字状のフック部または略Ｊ字状のフック部の内側に掛かるようになり、アンカーを打ち込むだけで簡単に法面緑化用支持部材を地盤の表面に固定することが可能となる。
【発明の効果】
【００２３】
（１）連続気泡を有する発泡ガラスと、この発泡ガラスが充填される筒状籠とから構成される法面緑化用支持部材を、地盤上に棚状または千鳥状に配置し、法面緑化用支持部材を覆うように客土層を形成することにより、客土層の流出や崩落が発生せず、保水性に優れ、植物の生育も良好な緑化法面を構築できる。特に、本発明では、発泡ガラスが充填された筒状籠を地盤上に配置するだけで、客土層を形成することが可能であるため、従来のように木材を素材とする支持部材を地盤上に配置した後に、地盤と支持部材との間に発泡ガラスの塊状体を敷設する必要がなく、材料点数および施工工数が少なくなる。また、ここで生育する植物の根は筒状籠に絡むように伸長するので、客土層の流出、崩落や植物の脱落などが防止される。さらに、本発明の法面緑化用支持部材が筒状籠内に連続気泡を有する発泡ガラスが充填されたものであるため適度な隙間を有しており、客土層に浸透した雨水などがこの隙間を通して下方へ流出するとともに、客土層中の通気性も確保されるので、客土層の過剰水分を効率良く排出し、植物生育に適した水分量および通気性を維持できるほか、雨天などによる客土層の流出を防ぐことができる。
【００２４】
（２）連続気泡を有する発泡ガラスと、この発泡ガラスが充填される筒状籠とから構成される法面緑化用支持部材を、地盤上に棚状または千鳥状に配置し、地盤および法面緑化用支持部材を覆う状態に網状体を張設し、さらに、法面緑化用支持部材を覆うように客土層を形成することにより、保水性に優れ、植物の流出、崩落や植物の脱落などを防止する機能がさらに向上する。
【００２５】
（３）客土層を、連続気泡を有する発泡ガラスの粒状体と堆肥と植物種子と粘着材とを含有する基盤材を地盤上に吹き付けて硬化させることによって形成すると、降雨などによる客土層の浸食、風による基盤材の飛散などが発生せず、保水性および耐久性に優れた緑化法面を構築することができ、植物の生育状態もさらに安定する。
【００２６】
（４）法面緑化用支持部材を、外径が円筒状籠の編み目の内径よりも大きな頭部を有するアンカーにより固定することにより、このアンカーを打ち込むだけで簡単に法面緑化用支持部材を地盤の表面に固定することが可能となる。
【００２７】
（５）法面緑化用支持部材を、この法面緑化用支持部材の外周に掛かる略Ｕ字状または略Ｊ字状のフック部を有するアンカーにより固定することにより、これらのアンカーを打ち込むだけで簡単に法面緑化用支持部材を地盤の表面に固定することが可能となる。
【発明を実施するための最良の形態】
【００２８】
図１は本発明の実施の形態における法面緑化工法に使用する法面緑化用支持部材の斜視図、図２は本発明の実施の形態における法面緑化工法の工程説明図、図３は図２の法面緑化工法の工程中における法面緑化用支持部材の配置状態を示す説明図、図４は図２に示す法面緑化工法で構築した緑化法面の縦断面図である。
【００２９】
図１において、本実施形態の法面緑化工法において使用する法面緑化用支持部材（以下、「支持部材」と称す。）１は、網により形成された円筒状籠１０内に、連続気泡を有する発泡ガラスの塊状体１１を充填したものである。円筒状籠１０の網は、電線に使用される銅をアルミニウム被覆した素線や亜鉛アルミ合金めっき鉄線を菱形に編み上げたものであり、一定のピッチで山形に曲げられた列線を互いに絡ませることによって形成した平行四辺形の編み目を有する網状体である。円筒状籠１０の両端には、同じ網により形成された蓋１２が開閉可能に設けられている。なお、合成樹脂製の網により円筒状籠１０を形成することも可能である。
【００３０】
なお、本実施形態において使用した円筒状籠１０は、直径約５０〜２００ｍｍ、長さ約１〜２ｍのものである。また、この円筒状籠１０の中央には、発泡ガラスの塊状体１１を充填しても直径が一様な円筒状を維持できるように補強用の輪１３が設けられている。この支持部材１では、円筒状籠１０内に粒径１０ｍｍ〜５０ｍｍの発泡ガラス１１が充填され、蓋１２が閉じられる。蓋１２は、例えば針金により円筒状籠１０に固定される。
【００３１】
本実施形態の法面緑化工法においては、まず、図２（ａ）および図３に示すように、軟岩、硬岩（岩盤）やモルタル吹き付けの法面などの緑化法面を構築すべき傾斜した地盤２に、図１に示す支持部材１を所定間隔ごとに配置し、アンカー３を打ち込んで固定する。このとき、支持部材１の側面の一部を地盤２の表面に密着させて固定する。なお、アンカー３は、その頭部３ａの外径が円筒状籠１０の編み目の内径よりも大きなものを使用する。これにより、アンカー３を打ち込むと、その頭部３ａが円筒状籠１０の編み目に掛かるようになるので、アンカー３を打ち込むだけで簡単に支持部材１を地盤２の表面に固定することができる。また、本実施形態では、図３に示すように、複数の支持部材１を地盤２の表面に水平かつ千鳥状に配置しているが、地盤２の強度や他の施工条件に応じて、縦横方向に０．５〜３．０ｍ程度の間隔で配置する。
【００３２】
そして、支持部材１の配置および固定が完了したら、図２（ｂ）に示すように、地盤２および支持部材１を覆うようにラス金網４を張設し、係止ピン５を用いて地盤２に固定する。ここで、ラス金網４とは亜鉛めっき鉄線を素材とする菱形金網のことであり、一定のピッチで山形に曲げられた列線を互いに絡ませることによって形成した平行四辺形の編み目を有する網状体である。
【００３３】
ラス金網４の張設が完了したら、図２（ｃ）に示すように、地盤２、支持部材１およびラス金網４を覆うように、地盤２に向けて基盤材６を吹き付けて硬化させることにより客土層７を形成する。基盤材６は、連続気泡を有する直径２０ｍｍ以下の発泡ガラスの粒状体８、堆肥、植物種子、粘着材および化学肥料などを含有しているため、工事完了後時間が経過すると、図４に示すように、客土層７中の植物種子が発芽し外部に向かって植物２０が成長していき、緑豊かな緑化法面２１が構築される。
【００３４】
本実施形態における支持部材１では、筒状籠１０内に多数の連続気泡を有する発泡ガラスの塊状体１１が充填されたものであるため、この筒状籠１０内の発泡ガラスの塊状体１１が地下水や雨水などを適度に吸収し、過剰な水分を透過する。したがって、この支持部材１を地盤２上に千鳥状に配置し、これらを覆う客土層７を形成すれば、客土層７は地盤２上に配置された支持部材１で強固に固定されるため、客土層７の流出や崩落が防止される。また、この客土層７は優れた保水性と保肥機能を発揮し、植物２０の成長に必要な水分や水分中に含まれる養分などを長期間保持することができ、植物２０が良好に生育する緑化法面２１を構築することができる。
【００３５】
また、本実施形態における支持部材１は、筒状籠１０内に連続気泡を有する発泡ガラス１１が充填されたものであるため適度な隙間を有しており、客土層７に浸透した雨水などをこの隙間を通して下方へ流出させることができる。また、これにより、客土層７中の通気性も確保されるので、客土層７の過剰水分を効率良く排出し、植物２０の生育に適した水分量および通気性を維持できるほか、雨水などによる客土層７の流出を防止することができる。
【００３６】
また、地盤２および支持部材１を覆うようにラス金網４を張設し、これらの上に基盤材６を吹き付け、硬化させて客土層７を形成するので、客土層７はきわめて強固に地盤２に固定され、客土層７で生育する植物２０はラス金網４や支持部材１の筒状籠１０に絡むように成長していくため、客土層７の流出や崩落、植物２０の脱落などを有効に防止することができる。なお、地盤２の勾配が緩やかであり、地盤２に対する基盤材６の密着力も強いなどの施工条件が整えば、ラス金網４なしで客土層７を形成することも可能である。
【００３７】
また、発泡ガラスの塊状体１１および粒状体８は、その外周から内部に連続した気泡を有しているため、客土層７中において有益な土壌微生物などの住処となり、これらの働きによっても植物の生育が活性化される。さらに、塊状体１１および粒状体８はいずれもガラス質であるため化学的に安定であり、有害物質の溶出や腐食なども生じないため、環境汚染のおそれがなく、耐久性にも優れている。
【００３８】
さらに、本実施形態では、客土層７は、粒状体８、堆肥、植物種子、粘着材および化学肥料などを含有する基盤材６を地盤２上に吹き付けて硬化させることによって形成されているため、客土層７においては、基盤材６に含まれる粘着材により粒状体８、堆肥、植物種子などが互いに固結して団粒化構造が形成され、降雨などによる客土層７の浸食や、風による基盤材６の飛散などを防止することができる。
【００３９】
また、基盤材６に含まれる堆肥は、落ち葉、藁、塵芥、野草などを積み重ね、腐敗させて作った有機物質の混合物であり、客土層７に含有される植物種子が成長する際の養分供給源となるほか、保肥力の増強、保水性や通気性の改善、土壌微生物の活動促進などの作用があるため、良好な植物生育基盤を形成することができる。また、基盤材６に化学肥料を添加しているため、植物２０の成長をさらに促進することができる。
【００４０】
また、客土層７は発泡ガラスの粒状体８を含有しているので、客土層７の内部に、植物２０の根や芽などの生育に必要とされる隙間を確保することができ、工事完了後、発芽した植物種子は堆肥などに含まれる養分を吸収しながら客土層７の表面から外部へ順調に成長していき、緑豊かな緑化法面２１を構築することができる。この粒状体８は、前述したように、多数の微小連続気泡を有する発泡ガラスで形成され、比較的軽量で、地下水や雨水などを適度に吸収し、余分な水分は透過する機能を備えているため、工事完了後、長期間経過しても、初期の軽量性が失われることがなく、客土層７の流出や崩落などを防止することができる。
【００４１】
なお、発泡ガラスの塊状体１１および粒状体８は、新たなガラス材で製造することができるが、本実施形態においては、廃棄された空瓶やガラス廃材などを原料として製造したものを使用しているため、資源の有効活用が図られ、ガラス廃材の不法投棄が減少し、自然環境の保護に寄与することができる。
【００４２】
また、本実施形態において、支持部材１はアンカー３を打ち込んで固定しているが、他の方法により固定することも可能である。例えば、図５に示すように、支持部材１を略Ｕ字状のフック部を有するアンカー１４により挟み込んで地盤２に固定したり、図６に示すように、支持部材１を略Ｊ字状のフック部を有するアンカー１５により地盤２に固定したりすることが可能である。いずれのアンカー１４，１５においても、アンカー１４，１５を打ち込むと、支持部材１の外周が略Ｕ字状のフック部または略Ｊ字状のフック部の内側に掛かるようになり、アンカー１４，１５を打ち込むだけで簡単に支持部材１を地盤２の表面に固定することができる。
【００４３】
次に、図７、図８および図９を参照して、支持部材配置状態に関するその他の実施形態について説明する。なお、図７〜図９において、前述の実施形態と同じ機能、効果などを有する部分については図１〜図３の場合と同じ符号を付して説明を省略する。
【００４４】
図７に示す実施の形態では、複数の支持部材１を地盤２上に棚状に配置している。この場合、複数の支持部材１が地盤２上で横方向に連続した棚を形成するように配置しているため、この後の工程で形成される客土層（図示せず。）の流出や崩落を防止する機能が優れている。
【００４５】
図８に示す実施の形態では、複数の支持部材１を地盤２上に棚状に配置するとともに、地盤２の上下方向に隣接する支持部材１の間に、同様の支持部材１ａを支持部材１とほぼ直角をなすように配置している。支持部材１，１ａをこのように配置することにより、支持部材１，１ａ同士が互いに縦横に連結した格子状の構造体が地盤２上に形成されるため、客土層の保持力が高まり、客土層の流出や崩落を防止する機能がさらに向上する。本実施形態は、地盤２の状態が良好な場合、例えば、地盤２が礫質土である場合などに適切な工法であり、施工が比較的簡単であるという点で優れている。
【００４６】
図９に示す実施の形態では、複数の支持部材１を地盤２上に棚状に配置するとともに、地盤２の上下方向に隣接する支持部材１の間に、同様の支持部材１ｂを斜めに配置している。支持部材１，１ｂをこのように配置することにより、支持部材１，１ｂ同士が互いに連結した三角格子状の構造体が地盤２上に形成されるため、客土層の保持力が高まり、客土層の流出や崩落を防止する機能がさらに向上する。本実施形態は、地盤２の地質が崩積土である場合あるいは土砂地盤である場合などに好適な工法であり、施工に多少の手間はかかるが優れた地盤補強効果を発揮する点で優れている。
【産業上の利用可能性】
【００４７】
本発明は、山間地等の傾斜面や新規造成地の傾斜面などに植物が生育可能な法面を構築するための法面緑化用支持部材および法面緑化工法として有用である。
【図面の簡単な説明】
【００４８】
【図１】本発明の実施の形態における法面緑化工法に使用する法面緑化用支持部材の斜視図である。
【図２】本発明の実施の形態における法面緑化工法の工程説明図である。
【図３】図２の法面緑化工法の工程中における法面緑化用支持部材の配置状態を示す説明図である。
【図４】図２に示す法面緑化工法で構築した緑化法面の縦断面図である。
【図５】支持部材のその他の固定方法を示す説明図であって、（ａ）は縦断面図、（ｂ）は（ａ）のＡ矢視図である。
【図６】支持部材のその他の固定方法を示す説明図であって、（ａ）は縦断面図、（ｂ）は（ａ）のＢ矢視図である。
【図７】支持部材配置状態に関するその他の実施形態を示す説明図である。
【図８】支持部材配置状態に関するその他の実施形態を示す説明図である。
【図９】支持部材配置状態に関するその他の実施形態を示す説明図である。
【符号の説明】
【００４９】
１，１ａ，１ｂ  支持部材
２  地盤
３，１４，１５  アンカー
４  ラス金網
５  係止ピン
６  基盤材
７  客土層
８  発泡ガラスの粒状体
１０  円筒状籠
１１  発泡ガラスの塊状体
１２  蓋
１３  輪
２０  植物
２１  緑化法面
【図１】
2009221722.tif 000003
【図２】
2009221722.tif 000004
【図３】
2009221722.tif 000005
【図４】
2009221722.tif 000006
【図５】
2009221722.tif 000007
【図６】
2009221722.tif 000008
【図７】
2009221722.tif 000009
【図８】
2009221722.tif 000010
【図９】
2009221722.tif 000011